(57)【要約】【課題】塵埃を十分に集塵することが可能な集塵フードを提供する。【解決手段】平面視において、誘導炉本体１の開口部１１を覆うように設けられるフード部６と、平面視において、開口部１１の外側に設けられ、塵埃を集塵する集塵ダクト８と、フード部６の内部に配置された断熱用小蓋７と、集塵ダクト８とフード部６とを接続する接続部９と、開口部１１に対して、フード部を開閉駆動させるフード駆動部６６と、を備える、集塵フード５。【選択図】図３
2020169772.tif 000002
【特許請求の範囲】
【請求項１】
平面視において、誘導炉本体の開口部を覆うように設けられるフード部と、
平面視において、前記開口部の外側に設けられ、塵埃を集塵する集塵ダクトと、
前記フード部の内部に配置された断熱用小蓋と、
前記集塵ダクトと前記フード部とを接続する接続部と、
前記開口部に対して、前記フード部を開閉駆動させるフード駆動部と、を備える、集塵フード。
【請求項２】
前記フード部は、平面視において、前記集塵ダクトと対向する側とは反対側に位置する内壁面の一部が、前記開口部に沿った略円弧形状部を有する、請求項１に記載の集塵フード。
【請求項３】
前記断熱用小蓋は、平面視において、前記開口部の外形と同じ大きさ、または、前記開口部の外形より大きい大きさを有し、
前記フード部の内壁面は、平面視において、前記断熱用小蓋よりも外側に配置されている、請求項１または２に記載の集塵フード。
【請求項４】
前記フード部の内壁面は、平面視において、略円弧形状を有する第１部分と、前記第１部分と前記接続部とを接続する略直線形状を有する第２部分とを含む、請求項３に記載の集塵フード。
【請求項５】
前記断熱用小蓋の上面は、上方に凸状の湾曲形状部と、前記誘導炉本体の出湯口に対応する位置に前記湾曲形状部から上方に傾斜して延びる傾斜部とを有し、
前記フード部の前記出湯口側は、前記傾斜部に沿うように傾斜している、請求項３または４に記載の集塵フード。
【請求項６】
前記集塵ダクトを駆動させる集塵ダクト駆動部を備える、請求項１〜５のいずれか１項に記載の集塵フード。
【請求項７】
溶解原料を溶解させる、平面視において、略円形形状の開口部を有する誘導炉本体と、
前記誘導炉本体に設けられた作業デッキと、
前記誘導炉本体内の溶解原料を出湯するための出湯口と、
平面視において、前記開口部を覆うように設けられるフード部と、
前記フード部の内部に配置され、前記開口部からの熱を断熱する断熱用小蓋と、
平面視において、前記開口部の外側に設けられ、塵埃を集塵する集塵ダクトと、
前記集塵ダクトと前記フード部とを接続する接続部と、
前記開口部に対して、前記フード部を開閉駆動させるフード駆動部と、
前記集塵ダクトを駆動させる集塵ダクト駆動部と、
を備え、
前記フード部は、前記作業デッキの上面の一部と前記断熱用小蓋の上面とを覆うとともに、平面視において、前記集塵ダクトと対向する側とは反対側に位置する内壁面の一部が、前記開口部に沿った略円弧形状部を有する、誘導炉。
【請求項８】
前記作業デッキは、平面視において、前記出湯口側と反対側において前記フード部と重ならない部分を有し、
前記フード部と重ならない部分により作業スペースが構成されている、請求項７に記載の誘導炉。
【発明の詳細な説明】
【技術分野】
【０００１】
この発明は、集塵フードおよび誘導炉に関する。
【背景技術】
【０００２】
従来、集塵フードを備える誘導炉が知られている（たとえば、特許文献１参照）。
【０００３】
上記特許文献１には、平面視において、略円形形状の開口部が設けられた誘導炉本体と、誘導炉本体の上方に配置される集塵フードとを備える誘導炉が開示されている。また、集塵フードは、誘導炉本体の開口部の外周を取り囲むように中空の環状に構成されている。また、中空の環状の集塵フードの内周面に吸引口（集塵口）が設けられている。上記特許文献１の誘導炉では、集塵フードの環状の内周面側から、誘導炉本体から放出される溶解原料の不純物およびガス（塵埃）を吸引（集塵）するように構成されている。なお、上記特許文献１の誘導炉では、誘導炉本体の開口部の中央部は、中空の環状の集塵フードによっては覆われていない。
【先行技術文献】
【特許文献】
【０００４】
【特許文献１】特開２０１３−８８０５６号公報
【発明の概要】
【発明が解決しようとする課題】
【０００５】
ここで、誘導炉内は高温に熱せられるため、誘導炉の溶解原料の不純物およびガスは、熱風とともに上昇する。しかしながら、上記特許文献１の誘導炉では、誘導炉本体の開口部の中央部が中空の環状の集塵フードによっては覆われていないため、溶解原料の不純物およびガスが上方に放出される場合があると考えられる。このため、誘導炉本体の開口部の外周を囲う中空環状の集塵フードでは、上昇する溶解原料の不純物およびガス（塵埃）を十分に集塵できないという問題点がある。
【０００６】
この発明は、上記のような課題を解決するためになされたものであり、この発明の１つの目的は、塵埃を十分に集塵することが可能な集塵フードおよび誘導炉を提供することである。
【課題を解決するための手段】
【０００７】
上記目的を達成するために、この発明の第１の局面による集塵フードは、平面視において、誘導炉本体の開口部を覆うように設けられるフード部と、平面視において、開口部の外側に設けられ、塵埃を集塵する集塵ダクトと、フード部の内部に配置された断熱用小蓋と、集塵ダクトとフード部とを接続する接続部と、開口部に対して、フード部を開閉駆動させるフード駆動部と、を備える。
【０００８】
この発明の第１の局面による集塵フードでは、平面視において、誘導炉本体の開口部を覆うように設けられるフード部を備える。これにより、誘導炉本体の開口部をフード部が覆っているので、集塵フードが開口部の外周を取り囲む場合と異なり、開口部より上昇する溶解原料の不純物およびガス（塵埃）が上方に放出されるのを抑制することができる。その結果、塵埃を十分に集塵することができる。また、開口部に対して、フード部を開閉駆動させるフード駆動部を備えることによって、溶解原料を誘導炉本体から出湯させるために、誘導炉本体を略９０度に傾けた状態（開口部が水平方向を向いている状態）において、フード部を開閉駆動することによって、フード部を略水平な状態にすることができる。これにより、出湯された溶解原料から上昇する不純物およびガス（塵埃）が、略水平な状態にされたフード部によって覆われるので、出湯された溶解原料から上昇する不純物およびガス（塵埃）を十分に集塵することができる。
【０００９】
上記第１の局面による集塵フードにおいて、好ましくは、フード部は、平面視において、集塵ダクトと対向する側とは反対側に位置する内壁面の一部が、開口部に沿った略円弧形状部を有する。このように構成すれば、溶解原料の不純物およびガス（塵埃）を、フード部の内壁面の略円弧形状部に沿って、スムーズに接続部側に流動させることができる。これにより、溶解原料の不純物およびガスの流れが滞りにくくなる。その結果、塵埃の集塵を効率よく行うことができる。また、集塵ダクトと対向する側とは反対側において、フード部の内壁面の一部が開口部に沿った略円弧形状部を有するので、平面視において、フード部が略矩形形状を有する場合と異なり、集塵ダクトと対向する側とは反対側においてフード部に覆われない領域が生じる。これにより、フード部に覆われない領域を作業スペースとして活用することができるので、その作業スペースにおいて、誘導炉本体で発生する酸化不純物（ノロ）の除去などの作業を行うことができる。
【００１０】
上記第１の局面による集塵フードにおいて、好ましくは、断熱用小蓋は、平面視において、開口部の外形と同じ大きさ、または、開口部の外形より大きい大きさを有し、フード部の内壁面は、平面視において、断熱用小蓋よりも外側に配置されている。このように構成すれば、平面視において、フード部の内壁面と断熱用小蓋との間に隙間ができる。この隙間により、断熱用小蓋の外縁に沿うように溶解原料の不純物およびガスの流路が形成されるので、溶解原料の不純物およびガスの流れがよりスムーズになる。その結果、塵埃を効率よく集塵することができる。
【００１１】
上記第１の局面による集塵フードにおいて、好ましくは、フード部の内壁面は、平面視において、略円弧形状を有する第１部分と、第１部分と接続部とを接続する略直線形状を有する第２部分とを含む。このように構成すれば、第１部分から接続部までのフード部の内壁面を直線で結ぶことにより、略円弧形状のみによりフード部の内壁面を形成する場合と異なり、第１部分から接続部までのフード部の内壁面を最短距離により結ぶことができる。その結果、平面視におけるフード部の大きさを小さくすることができる。
【００１２】
上記第１の局面による集塵フードにおいて、好ましくは、断熱用小蓋の上面は、上方に凸状の湾曲形状部と、誘導炉本体の出湯口に対応する位置に湾曲形状部から上方に傾斜して延びる傾斜部とを有し、フード部の出湯口側は、傾斜部に沿うように傾斜している。このように構成すれば、溶解原料投入のために、フード部および断熱用小蓋を一体的に出湯口側に傾斜するように回動させる際に、出湯口側に回動するにしたがって、断熱用小蓋（フード部）の出湯口側の端部と出湯口とが近づく場合においても、断熱用小蓋およびフード部の出湯口に対応する位置が上方に傾斜していることにより、出湯口に対応する位置が上方に傾斜していない場合に比べて、断熱用小蓋（フード部）の出湯口側の端部と出湯口との距離が長くなる。その結果、断熱用小蓋（フード部）の出湯口側の端部が出湯口に接触するのを抑制することができる。
【００１３】
上記第１の局面による集塵フードにおいて、好ましくは、集塵ダクトを駆動させる集塵ダクト駆動部を備える。このように構成すれば、集塵ダクト駆動部により集塵ダクトを駆動させるだけで、集塵ダクトと、集塵ダクトに接続部により接続されたフード部とを共に（一体の状態で）駆動させることができる。これにより、誘導炉本体の開口部の上方の空間から、集塵ダクトとフード部とが共に移動されるので、容易に、開口部の上方の空間から溶解原料を投入することができる。
【００１４】
この発明の第２の局面による誘導炉は、溶解原料を溶解させる、平面視において、略円形形状の開口部を有する誘導炉本体と、誘導炉本体に設けられた作業デッキと、誘導炉本体内の溶解原料を出湯するための出湯口と、平面視において、開口部を覆うように設けられるフード部と、フード部の内部に配置され、開口部からの熱を断熱する断熱用小蓋と、平面視において、開口部の外側に設けられ、塵埃を集塵する集塵ダクトと、集塵ダクトとフード部とを接続する接続部と、開口部に対して、フード部を開閉駆動させるフード駆動部と、集塵ダクトを駆動させる集塵ダクト駆動部と、を備え、フード部は、作業デッキの上面の一部と断熱用小蓋の上面とを覆うとともに、平面視において、集塵ダクトと対向する側とは反対側に位置する内壁面の一部が、開口部に沿った略円弧形状部を有する。
【００１５】
この発明の第２の局面による誘導炉では、平面視において、開口部を覆うように設けられるフード部を備え、フード部は、作業デッキの上面の一部と断熱用小蓋の上面とを覆うとともに、平面視において、集塵ダクトと対向する側とは反対側に位置する内壁面の一部が、開口部に沿った略円弧形状部を有する。これにより、誘導炉本体の開口部をフード部が覆うことにより、開口部より上昇する溶解原料の不純物およびガスを上方から集塵することができるので、塵埃を十分に集塵することが可能な誘導炉を提供することができる。また、上記内壁面の一部に開口部に沿った略円弧形状部を有しない場合に比べて、溶解原料の不純物およびガス（塵埃）を、フード部の内壁面の略円弧形状部に沿って、スムーズに接続部側に流動させることができるので、集塵の流れが滞りにくくなり、塵埃を効率よく集塵することができる。また、開口部に対して、フード部を開閉駆動させるフード駆動部を備えることによって、溶解原料を誘導炉本体から出湯させるために、誘導炉本体を略９０度に傾けた状態（開口部が水平方向を向いている状態）において、フード部を開閉駆動することによって、フード部を略水平な状態にすることができる。これにより、この第２の局面による誘導炉では、出湯された溶解原料から上昇する不純物およびガス（塵埃）が、略水平な状態にされたフード部によって覆われるので、出湯された溶解原料から上昇する不純物およびガス（塵埃）を十分に集塵することができる。
【００１６】
上記第２の局面による誘導炉において、好ましくは、作業デッキは、平面視において、出湯口側と反対側においてフード部と重ならない部分を有し、フード部と重ならない部分により作業スペースが構成されている。作業デッキのフード部と重ならない部分を作業スペースとして活用することができるので、その作業スペースにおいて、誘導炉本体内で発生する酸化不純物（ノロ）の除去などの作業を行うことができる。
【発明の効果】
【００１７】
本発明によれば、上記のように、塵埃を十分に集塵することが可能な集塵フードおよび誘導炉を提供することができる。
【図面の簡単な説明】
【００１８】
【図１】本発明の一実施形態による誘導炉の出湯口側の側面図である。
【図２】本発明の一実施形態による誘導炉の集塵ダクトが配置される側の反対側から見た側面図である。
【図３】本発明の一実施形態による誘導炉の上面図である。
【図４】本発明の一実施形態による集塵フードの下面図である。
【図５】本発明の一実施形態による断熱用小蓋の斜視図である。
【図６】図３の２００−２００線における断面図である。
【図７】図３の３００−３００線における断面図である。
【図８】本発明の一実施形態の誘導炉による集塵フードの駆動を説明するための第１図である。
【図９】本発明の一実施形態の誘導炉による集塵フードの駆動を説明するための第２図である。
【図１０】本発明の一実施形態の誘導炉による集塵フードの駆動を説明するための第３図である。
【図１１】本発明の一実施形態の誘導炉による集塵フードの駆動を説明するための第４図である。
【図１２】本発明の一実施形態の誘導炉による集塵フードの駆動を説明するための第５図である。
【図１３】本発明の一実施形態の誘導炉による集塵フードの駆動を説明するための第６図である。
【図１４】本発明の一実施形態の誘導炉による集塵フードの駆動を説明するための第７図である。
【発明を実施するための形態】
【００１９】
以下、本発明を具体化した実施形態を図面に基づいて説明する。
【００２０】
（誘導炉の全体構成）
図１および図２に示すように、本実施形態の誘導炉１００は、誘導炉本体１と、出湯口２と、作業デッキ３と、支柱４と、集塵フード５とを備える。また、支柱４は、支点軸４１により、作業デッキ３と接続されている。また、集塵フード５は、フード固定部５１により、作業デッキ３に固定されている。
【００２１】
誘導炉本体１は、図示しないコイルからの電磁誘導により、誘導炉本体１内に投入された金属などの溶解原料に過電流を発生させる。誘導炉本体１は、発生させた渦電流によって発生する熱を用いて溶解原料を溶解させる電気炉である。また、誘導炉本体１は、平面視において、略円形形状の開口部１１（図３参照）を有する。
【００２２】
出湯口２は、誘導炉本体１内の溶解原料を出湯するために、誘導炉本体１の開口部１１から誘導炉本体１内部に接続された溝部である。また、出湯口２は、誘導炉本体１（開口部１１）から斜め上方に傾斜するように設けられている。
【００２３】
作業デッキ３は、誘導炉本体１に設けられ、平面視において、略矩形形状を有する、たとえば、作業デッキ３は、鋼鉄製の板から形成されている。作業デッキ３は、誘導炉本体１に固定されるとともに、図２に示すように、支柱４により支持されている。また、作業デッキ３は、作業者が、誘導炉本体１内への溶解原料投入および誘導炉本体１内に発生する酸化不純物（ノロ）の除去などの作業を行えるように構成されている。
【００２４】
支柱４は、図２に示すように、誘導炉本体１および作業デッキ３を支持する構造体であり、誘導炉本体１を囲うように構成されている。作業デッキ３および誘導炉本体１は、支点軸４１を軸にして、支柱４に設けられた、図示しない油圧シリンダーなどによって、出湯口２側に傾斜するように回動させられる。これにより、誘導炉１００は、誘導炉本体１内の溶解原料を、出湯口２から取鍋（図示せず）などの外部に出湯するように構成されている。
【００２５】
（集塵フードの構成）
集塵フード５は、図３および図４に示すように、フード部６と、断熱用小蓋７と、集塵ダクト８と、接続部９とを含む。
【００２６】
フード部６は、開口部１１から上昇した溶解原料の不純物およびガス（塵埃）を集塵するためのフードである。フード部６は、図３に示すように、平面視において、誘導炉本体１の開口部１１を覆うように設けられる。フード部６は、たとえば、鋼鉄製のフードである。
【００２７】
断熱用小蓋７は、図３および図４に示すように、誘導炉本体１内の熱からフード部６を断熱するために、フード部６の内部に配置された蓋である。具体的には、断熱用小蓋７は、耐火材料を含む。耐火材料とは、たとえば、セメントなどである。また、本実施形態では、断熱用小蓋７は、平面視において、開口部１１の外形より大きい大きさを有する。具体的には、断熱用小蓋７は、図３に示すように、平面視において、誘導炉本体１の開口部１１に沿うような略円形形状である。また、断熱用小蓋７の外形は、開口部１１の外形より大きく、開口部１１の上方を覆うように形成されている。また、平面視において、略円形形状の断熱用小蓋７と、略円形形状の開口部１１とは、同心円状に配置されている。
【００２８】
集塵ダクト８は、誘導炉本体１の開口部１１から上昇する溶解原料の不純物およびガスなどの塵埃を集塵する集塵装置である。本実施形態では、集塵ダクト８は、図３および図４に示すように、平面視において、開口部１１の外側に設けられ、塵埃を集塵する。集塵ダクト８は、接続部９により、フード部６と接続される。なお、集塵ダクト８には、後述するフード駆動部６０および集塵ダクト駆動部８０が設けられる。
【００２９】
接続部９は、フード部６と集塵ダクト８とを接続する部分（図３および図４参照）である。具体的には、接続部９は、フード部６の内部の空間と集塵ダクト８の内部の空間とを接続する。また、フード部６と集塵ダクト８とは、接続部９において、フランジ接続されている。なお、接続部９は、溶接などにより接続されるようにしてもよい。
【００３０】
また、本実施形態では、フード部６は、平面視において、集塵ダクト８と対向する側とは反対側に位置する内壁面６１の一部が、開口部１１に沿った略円弧形状部を有する。具体的には、フード部６は、平面視において、集塵ダクト８と対向する側とは反対側に位置し、かつ、誘導炉本体１内の溶解原料を出湯するための出湯口２側の端部から接続部９にわたる内壁面６１の一部が、開口部１１に沿った略円弧形状部を有する。フード部６は、平面視において略矩形形状の作業デッキ３上に、開口部１１の平面視における中心からＸ１方向、かつ、Ｙ２方向の領域１０１（図３にハッチングで示した領域）内に位置するフード部６の内壁面６１の一部が、開口部１１に沿った略円弧形状部を有している。
【００３１】
また、本実施形態では、フード部６の内壁面６１は、図３に示すように、平面視において、断熱用小蓋７よりも外側に配置されている。つまり、開口部１１に沿うような略円形形状である断熱用小蓋７の外縁と、開口部１１に沿った略円弧形状部を有するフード部６の内壁面６１と、の間に断熱用小蓋７の外縁に沿うような溶解原料の不純物およびガスの流路（集塵の流れ）が形成されている。
【００３２】
また、本実施形態では、フード部６の内壁面６１は、平面視において、略円弧形状を有する第１部分６１１と、第１部分６１１と接続部９とを接続する略直線形状を有する第２部分６１２とを含む。具体的には、図３に示すように、フード部６の内壁面６１には、開口部１１の略円形形状部に沿う略円弧形状であり、Ｘ１方向の端部から接続部９に向かって延びる第１部分６１１が形成されている。また、フード部６の内壁面６１には、第１部分６１１と接続部９のＹ２方向側の端部とを繋ぐように第２部分６１２が形成されている。
【００３３】
また、本実施形態では、フード部６は、作業デッキ３の上面の一部を覆う。具体的には、フード部６は、平面視において略矩形形状の作業デッキ３に対して、上記のような、略円弧形状部を設けた形状にすることにより、作業デッキ３の一部を覆うように形成されている。つまり、作業デッキ３の上面のＸ１方向側でかつＹ２方向側の角部近傍には、図３に示すように、フード部６に覆われない部分が存在している。
【００３４】
すなわち、本実施形態では、作業デッキ３は、平面視において、出湯口２側と反対側（Ｙ２方向側）においてフード部６と重ならない部分を有し、フード部６と重ならない部分により作業スペース３０が構成されている。なお、作業スペース３０（図３参照）は、作業者が作業スペース３０の上面に立って（または、座って）作業を行うことが可能な程度の広さを有する。
【００３５】
また、断熱用小蓋７は、図４および図５に示す、内蓋固定部７１により、フード部６の内側に固定される。また、本実施形態では、断熱用小蓋７の上面は、上方に凸状の湾曲形状部７２と、誘導炉本体１の出湯口２に対応する位置に湾曲形状部７２から上方に傾斜して延びる傾斜部７３とを有する。具体的には、断熱用小蓋７は、図５および図６に示すように、出湯口２に対応する出湯口開口部７４（出湯口２の上方の部分）の断面が、逆Ｕ字形状を有するとともに、逆Ｕ字形状の底部（Ｚ２方向側の部分）が、傾斜部７３として、上方に傾斜している。また、逆Ｕ字形状の出湯口開口部７４の内側の開口部７５に出湯口２が配置される。また、断熱用小蓋７は、図６および図７に示すように、誘導炉本体１の開口部１１の中心に向かって、上方に凸状の湾曲形状部７２を有する。なお、図６では、簡略化のために、断熱用小蓋７の内蓋固定部７１の図示を省略している。
【００３６】
また、本実施形態では、フード部６の出湯口２側は、断熱用小蓋７の傾斜部７３に沿うように傾斜している。具体的には、フード部６の出湯口２側の断熱用小蓋７の傾斜部７３に対応する部分は、開口部１１側から出湯口２側に向かって上方に傾斜（図６参照）している。また、断熱用小蓋７の傾斜部７３とフード部６の内壁面６１との間の隙間の幅Ｗ１は、断熱用小蓋７の外縁部近傍とフード部６の内壁面６１との間の隙間の幅Ｗ２に比べて、狭くなるように形成されている。
【００３７】
また、本実施形態では、フード部６は、断熱用小蓋７の上面を覆う。具体的には、フード部６は、図７に示すように、作業デッキ３の一部を覆うとともに、断熱用小蓋７の上面の全体を覆うように構成されている。フード部６は、開口部１１から上昇した溶解原料の不純物およびガス（塵埃）が、断熱用小蓋７の外縁から、断熱用小蓋７とフード部６の内壁面６１との間に流れ込むように構成されている。流れ込んだ溶解原料の不純物およびガスは、図３で説明したように、平面視において、断熱用小蓋７の外縁に沿うようにして流れ、接続部９を介して、集塵ダクト８により集塵される。なお、図７では、簡略化のために、誘導炉本体１の一部および支柱４の図示を省略している。
【００３８】
（集塵フードの駆動）
次に、集塵フード５の駆動方法について、図８〜図１４を参照して説明する。
【００３９】
フード部６および集塵ダクト８が略水平な状態、つまり、図２と同様の状態における集塵ダクト８に設けられたフード駆動部６０および集塵ダクト駆動部８０を図８に示す。集塵ダクト８には、集塵フード５を駆動させるためのフード駆動部６０および集塵ダクト駆動部８０が設けられている。
【００４０】
フード駆動部６０は、誘導炉本体１の開口部１１に対して、フード部６を開閉駆動させるために設けられた駆動部である。本実施形態では、フード駆動部６０は、油圧シリンダーを含む。図８に示すように、フード駆動部６０の一端は、集塵ダクト回転軸部８１に接続されており、もう一端は、集塵ダクト８に接続されている。なお、集塵ダクト回転軸部８１は、集塵ダクト８の出湯口２とは反対側（Ｙ２方向側）に設けられた、フード部６を駆動（回動）させるための軸であり、接続部９により、フード部６と接続されている。フード駆動部６０が、駆動（伸縮）することにより、集塵ダクト回転軸部８１が回転して、集塵ダクト回転軸部８１に接続されたフード部６が回動（開閉駆動）する。なお、図８（および図３）のようにフード部６が略水平な状態では、フード駆動部６０は、縮めた状態である。なお、フード駆動部６０は、モータなどにより、フード部６を駆動させるようにしてもよい。
【００４１】
集塵ダクト駆動部８０は、集塵ダクト８を駆動させる駆動部である。本実施形態では、集塵ダクト駆動部８０は、油圧シリンダーを含む。図８に示すように、集塵ダクト駆動部８０の一端は、集塵ダクト傾動軸部３１に接続されており、もう一端は、集塵ダクト８に接続されている。なお、集塵ダクト傾動軸部３１は、集塵ダクト８を駆動（回動）させるために出湯口２側（Ｙ１方向側）に設けられた軸であり、フード固定部５１により、作業デッキ３に支持されている。集塵ダクト駆動部８０が、駆動（伸縮）することにより、集塵ダクト傾動軸部３１が回転して、集塵ダクト傾動軸部３１に接続された集塵ダクト８が出湯口２側、または、出湯口２とは反対側に傾くように回動する。また、集塵ダクト８には、接続部９によりフード部６が接続されているので、集塵ダクト駆動部８０を駆動させることにより、フード部６と、断熱用小蓋７と、集塵ダクト８と、接続部９を含む集塵フード５が一体的に回動する。なお、図８（および図３）のように集塵ダクト８が略水平な状態では、集塵ダクト駆動部８０は、伸ばした状態である。なお、集塵ダクト駆動部８０は、モータなどにより、集塵ダクト８を駆動させるようにしてもよい。
【００４２】
また、図８（および図３）の状態（フード駆動部６０を縮めた状態、かつ、集塵ダクト駆動部８０を伸ばした状態）から、図９に示すように、フード駆動部６０を伸ばすことにより、集塵ダクト回転軸部８１が回転して、集塵ダクト回転軸部８１に接続されたフード部６が出湯口２とは反対側方向に回動する。このようにフード駆動部６０を駆動させることにより、誘導炉１００の状態を、図１０に示したような、集塵ダクト８が略水平な状態、かつ、フード部６が地面に対して略垂直な状態にすることができる。
【００４３】
また、図９および図１０の状態から、図１１に示すように、集塵ダクト駆動部８０を縮めることにより、集塵ダクト傾動軸部３１が回転して、集塵ダクト傾動軸部３１に接続された集塵ダクト８が出湯口２側方向に回動する。このように集塵ダクト駆動部８０を駆動させることにより、誘導炉１００の状態を、図１２に示したような、フード部６が略水平な状態、かつ、集塵ダクト８が地面に対して略垂直な状態にすることができる。なお、図１１および図１２のような駆動は、出湯時に用いることができる。なお、出湯時において、誘導炉本体１は、支点軸４１を軸にして、支柱４に設けられた、図示しない油圧シリンダーなどによって、出湯口２側に傾斜するように回動して、図１２に示すように、誘導炉本体１を略９０度に傾けた状態（開口部１１が水平方向を向いている状態）になる。
【００４４】
また、図１２の状態から、図１３に示すように、フード駆動部６０を縮めることにより、集塵ダクト回転軸部８１が回転して、集塵ダクト回転軸部８１に接続されたフード部６が回動する。このようにフード駆動部６０を駆動させることにより、誘導炉１００の状態を、図１４に示したような、フード部６および集塵ダクト８がともに、地面に対して略垂直な状態にすることができる。
【００４５】
（本実施形態の効果）
本実施形態では、以下のような効果を得ることができる。
【００４６】
本実施形態では、平面視において、誘導炉本体１の開口部１１を覆うように設けられるフード部６を備える。これにより、誘導炉本体１の開口部１１をフード部６が覆っているので、集塵フード５が開口部１１の外周を取り囲む場合と異なり、開口部１１より上昇する溶解原料の不純物およびガス（塵埃）が上方に放出されるのを抑制することができる。その結果、塵埃を十分に集塵することができる。また、開口部１１に対して、フード部６を開閉駆動させるフード駆動部６０を備えることによって、溶解原料を誘導炉本体１から出湯させるために、図１２のように、誘導炉本体１を略９０度に傾けた状態（開口部１１が水平方向を向いている状態）において、フード部６を開閉駆動することによって、フード部６を略水平な状態にすることができる。これにより、出湯された溶解原料から上昇する不純物およびガス（塵埃）が、略水平な状態にされたフード部６によって覆われるので、出湯された溶解原料から上昇する不純物およびガス（塵埃）を十分に集塵することができる。
【００４７】
本実施形態では、上記のように、フード部６は、平面視において、集塵ダクト８と対向する側とは反対側に位置する内壁面６１の一部が、開口部１１に沿った略円弧形状部を有する。これにより、溶解原料の不純物およびガス（塵埃）を、フード部６の内壁面６１の略円弧形状部に沿って、スムーズに接続部９側に流動させることができるので、溶解原料の不純物およびガスの流れが滞りにくくなる。その結果、塵埃の集塵を効率よく行うことができる。また、集塵ダクト８と対向する側とは反対側において、フード部６の内壁面６１の一部が開口部１１に沿った略円弧形状部を有するので、平面視において、フード部６が略矩形形状を有する場合と異なり、集塵ダクト８と対向する側とは反対側においてフード部６に覆われない領域が生じる。これにより、フード部６に覆われない領域を作業スペース３０として活用することができるので、その作業スペース３０において、誘導炉本体１で発生する酸化不純物（ノロ）の除去などの作業を行うことができる。
【００４８】
本実施形態では、上記のように、断熱用小蓋７は、平面視において、開口部１１の外形より大きい大きさを有し、フード部６の内壁面６１は、平面視において、断熱用小蓋７よりも外側に配置されている。これにより、平面視において、フード部６の内壁面６１と断熱用小蓋７との間に隙間ができる。この隙間により、断熱用小蓋７の外縁に沿うように溶解原料の不純物およびガスの流路が形成されるので、溶解原料の不純物およびガスの流れがよりスムーズになる。その結果、塵埃を効率よく集塵することができる。
【００４９】
本実施形態では、上記のように、フード部６の内壁面６１は、平面視において、略円弧形状を有する第１部分６１１と、第１部分６１１と接続部９とを接続する略直線形状を有する第２部分６１２とを含む。これにより、第１部分６１１から接続部９までのフード部６の内壁面６１を直線で結ぶことにより、略円弧形状のみによりフード部６の内壁面６１を形成する場合と異なり、第１部分６１１から接続部９までのフード部６の内壁面６１を最短距離により結ぶことができる。その結果、平面視におけるフード部６の大きさを小さくすることができる。
【００５０】
本実施形態では、上記のように、断熱用小蓋７の上面は、上方に凸状の湾曲形状部７２と、誘導炉本体１の出湯口２に対応する位置に湾曲形状部７２から上方に傾斜して延びる傾斜部７３とを有し、フード部６の出湯口２側は、傾斜部７３に沿うように傾斜している。これにより、溶解原料投入のために、フード部６および断熱用小蓋７を一体的に出湯口２側に傾斜するように回動させる際に、出湯口２側に回動するにしたがって、断熱用小蓋７（フード部６）の出湯口２側の端部と出湯口２とが近づく場合においても、断熱用小蓋７およびフード部６の出湯口２に対応する位置が上方に傾斜していることにより、出湯口２に対応する位置が上方に傾斜していない場合に比べて、断熱用小蓋７（フード部６）の出湯口２側の端部と出湯口２との距離が長くなる。その結果、断熱用小蓋７（フード部６）の出湯口２側の端部が出湯口２に接触するのを抑制することができる。
【００５１】
本実施形態では、上記のように、集塵ダクト８を駆動させる集塵ダクト駆動部８０を備える。これにより、集塵ダクト駆動部８０により集塵ダクト８を駆動させるだけで、集塵ダクト８と、集塵ダクト８に接続部９により接続されたフード部６とを共に（一体の状態で）駆動させることができるので、誘導炉本体１の開口部１１の上方の空間から、集塵ダクト８とフード部６とが共に移動される。その結果、容易に、開口部１１の上方の空間から溶解原料を投入することができる。
【００５２】
本実施形態では、上記のように、溶解原料を溶解させる、平面視において、略円形形状の開口部１１を有する誘導炉本体１と、誘導炉本体１に設けられた作業デッキ３と、誘導炉本体１内の溶解原料を出湯するための出湯口２と、平面視において、開口部１１を覆うように設けられるフード部６と、フード部６の内部に配置され、開口部１１からの熱を断熱する断熱用小蓋７と、平面視において、開口部１１の外側に設けられ、塵埃を集塵する集塵ダクト８と、集塵ダクト８とフード部６とを接続する接続部９と、開口部１１に対して、フード部６を開閉駆動させるフード駆動部６０と、集塵ダクト８を駆動させる集塵ダクト駆動部８０と、を備え、フード部６は、作業デッキ３の上面の一部と断熱用小蓋７の上面とを覆うとともに、平面視において、集塵ダクト８と対向する側とは反対側に位置する内壁面６１の一部が、開口部１１に沿った略円弧形状部を有する。これにより、誘導炉本体１の開口部１１をフード部６が覆うことにより、開口部１１より上昇する溶解原料の不純物およびガスを上方から集塵することができるので、塵埃を十分に集塵することが可能な誘導炉１００を提供することができる。また、上記内壁面６１の一部に開口部１１に沿った略円弧形状部を有しない場合に比べて、溶解原料の不純物およびガス（塵埃）を、フード部６の内壁面６１の略円弧形状部に沿って、スムーズに接続部９側に流動させることができるので、集塵の流れが滞りにくくなり、塵埃を効率よく集塵することができる。また、開口部１１に対して、フード部６を開閉駆動させるフード駆動部６０を備えることによって、溶解原料を誘導炉本体１から出湯させるために、図１２のように、誘導炉本体１を略９０度に傾けた状態（開口部１１が水平方向を向いている状態）において、フード部６を開閉駆動することによって、フード部６を略水平な状態にすることができる。これにより、本実施形態の誘導炉１００では、出湯された溶解原料から上昇する不純物およびガス（塵埃）が、略水平な状態にされたフード部６によって覆われるので、出湯された溶解原料から上昇する不純物およびガス（塵埃）を十分に集塵することができる。
【００５３】
本実施形態では、上記のように、作業デッキ３は、平面視において、出湯口２側と反対側においてフード部６と重ならない部分を有し、フード部６と重ならない部分により作業スペース３０が構成されている。これにより、作業デッキ３のフード部６と重ならない部分を作業スペース３０として活用することができるので、その作業スペース３０において、誘導炉本体１内で発生する酸化不純物（ノロ）の除去などの作業を行うことができる。
【００５４】
［変形例］
今回開示された実施形態は、全ての点で例示であり制限的なものではないと考えられるべきである。本発明の範囲は上記実施形態の説明ではなく特許請求の範囲によって示され、さらに特許請求の範囲と均等の意味および範囲内での全ての変更（変形例）が含まれる。
【００５５】
たとえば、本実施形態では、集塵フード５が誘導炉１００に設けられている例を示したが本発明はこれに限られない。本発明では、誘導炉以外の装置に設けられる集塵フードに、本発明を適用してもよい。
【００５６】
また、本実施形態では、フード部６の内壁面６１の一部が、平面視において、開口部１１に沿った略円弧形状部を有する例を示したが、本発明は、これに限られない。本発明では、フード部は、内壁面が平面視において略直線形状のみで形成された略矩形状のフード部でもよい。
【００５７】
また、本実施形態では、断熱用小蓋７は、平面視において、開口部１１に沿った略円形形状である例を示したが、本発明は、これに限られない。本発明では、断熱用小蓋は、平面視において、略矩形形状に形成されてもよい。
【００５８】
また、本実施形態では、断熱用小蓋７は、平面視において、開口部１１の外形より大きい大きさを有した例を示したが、本発明は、これに限られない。本発明では、断熱用小蓋は、開口部の外形と同じ大きさを有してもよい。
【００５９】
また、本実施形態では、フード部６の内壁面６１は、平面視において、略円弧形状を有する第１部分６１１と、第１部分６１１と接続部９とを接続する略直線形状を有する第２部分６１２とを含む例を示したが、本発明は、これに限られない。本発明では、フード部の内壁面は、平面視において、略円弧形状のみで形成されてもよい。
【００６０】
また、本実施形態では、断熱用小蓋７の上面は、上方に凸状の湾曲形状部７２と、誘導炉本体１の出湯口２に対応する位置に湾曲形状部７２から上方に傾斜して延びる傾斜部７３とを有する例を示したが、本発明は、これに限られない。本発明では、断熱用小蓋の上面は、平坦な形状でもよい。
【００６１】
また、本実施形態では、フード駆動部６０および集塵ダクト駆動部８０を集塵ダクト８に設けた例を示したが、本発明は、これに限られない。本発明では、フード駆動および集塵ダクト駆動部を集塵ダクト以外の箇所、たとえば、作業デッキ上に設けてもよいし、集塵ダクト駆動部を設けなくてもよい。
【符号の説明】
【００６２】
１  誘導炉本体
２  出湯口
３  作業デッキ
４  支柱
５  集塵フード
６  フード部
７  断熱用小蓋
８  集塵ダクト
９  接続部
１１  開口部
３０  作業スペース
３１  集塵ダクト傾動軸部
４１  支点軸
５１  フード固定部
６０  フード駆動部
６１  内壁面
７１  内蓋固定部
７２  湾曲形状部
７３  傾斜部
７４  出湯口開口部
７５  開口部
８０  集塵ダクト駆動部
８１  集塵ダクト回転軸部
１００  誘導炉
６１１  第１部分
６１２  第２部分
【図１】
2020169772.tif 000003
【図２】
2020169772.tif 000004
【図３】
2020169772.tif 000005
【図４】
2020169772.tif 000006
【図５】
2020169772.tif 000007
【図６】
2020169772.tif 000008
【図７】
2020169772.tif 000009
【図８】
2020169772.tif 000010
【図９】
2020169772.tif 000011
【図１０】
2020169772.tif 000012
【図１１】
2020169772.tif 000013
【図１２】
2020169772.tif 000014
【図１３】
2020169772.tif 000015
【図１４】
2020169772.tif 000016